(57)【要約】【課題】カメラ内部に侵入、またはカメラ内部で発生し残留した異物が、撮像部に付着するのを抑えた撮像装置を提供すること。【解決手段】撮像レンズからの光束の一部を主ミラーユニットにて光学ファインダに反射し、透過した残りの光束をサブミラーユニットにて反射してＡＦユニットに導く第１の状態と、前記主ミラーユニット及び前記サブミラーユニットで反射及び透過させることなく、前記撮像レンズからの光束の全てを撮像素子に導く第２の状態とに切り替え動作可能とした撮像装置であって、前記第１の状態で露出し、前記第２の状態で前記主ミラーユニットと前記サブミラーユニットによって覆われる、前記主ミラーユニットおよび前記サブミラーユニットの少なくともどちらか一方の一部に、異物を捕獲する異物捕獲部を設けることを特徴とする。【選択図】図３
2016053664.tif 000002
【特許請求の範囲】
【請求項１】
撮像レンズ（１０２）からの光束により形成された被写体像を光電変換する撮像素子（１０１）と、
前記被写体像を観察するための光学ファインダ（１０３）と、
少なくとも一部の領域で光束を透過するハーフミラー（１１）を有する主ミラーユニット（１）と、
全反射のミラー（２１）を有するサブミラーユニット（２）と、
前記撮像レンズの結像状態を検出するためのＡＦユニット（１１１）とを備え、
前記撮像レンズからの光束の一部を前記主ミラーユニットにて前記光学ファインダに反射し、透過した残りの光束を前記サブミラーユニットにて反射して前記ＡＦユニットに導く第１の状態と、
前記主ミラーユニット及び前記サブミラーユニットで反射及び透過させることなく、前記撮像レンズからの光束の全てを前記撮像素子に導く第２の状態とに切り替え動作可能とした撮像装置であって、
前記第１の状態で露出し、
前記第２の状態で前記主ミラーユニットと前記サブミラーユニットによって覆われる、
前記主ミラーユニットおよび前記サブミラーユニットの少なくともどちらか一方の一部に、異物を捕獲する異物捕獲部（１３、２３）が設けられていることを特徴とする撮像装置。
【請求項２】
前記異物捕獲部は主ミラーユニットの、ハーフミラーとは逆側の面上に設けることを特徴とする請求項１に記載の撮像装置。
【請求項３】
前記異物捕獲部は粘着部材により構成されることを特徴とする請求項１又は請求項２に記載の撮像装置。
【請求項４】
前記異物捕獲部は帯電部材により構成されることを特徴とする請求項１又は請求項２に記載の撮像装置。
【請求項５】
前記異物捕獲部は前記主ミラーユニットと前記サブミラーユニットとの連結部（２４ａ、２４ｂ）近傍に配置されることを特徴とする請求項１乃至請求項４の何れか一項に記載の撮像装置。
【請求項６】
前記異物捕獲部は、前記第２の状態において、前記主ミラーユニットおよび前記サブミラーユニットの少なくともどちらか一方とは接触しないことを特徴とする請求項１乃至請求項５の何れか一項に記載の撮像装置。
【発明の詳細な説明】
【技術分野】
【０００１】
本発明は、ミラーユニットを切り替え動作可能とした撮像装置に関する。
【背景技術】
【０００２】
フィルムカメラは、被写体像として入射する光をフィルムに露光するものであるのに対して、デジタルカメラは、光のエネルギーを電気信号に変換する固体撮像素子に露光することによって画像を記録するものである。デジタルカメラの代表例として、レンズ交換式デジタル一眼レフカメラ１００（以下、Ｄ−ＳＬＲ１００と略す）の基本的な概略構成を図８に示す。図８（ａ）は交換レンズ１０２から入った被写体像をファインダ１０３で確認することのできる撮像待機状態を示し、図８（ｂ）は撮像状態を示す。
【０００３】
１０１は撮像部であり、交換レンズ１０２からの光束により形成された被写体像を光電変換する撮像素子を含む。１０２は交換レンズであり、被写体からの反射光を捉え、撮像部１０１に結像させるためのレンズ群（１０２ａ、１０２ｂ）、及び、絞り１０２ｃを備える。
【０００４】
１０３は光学ファインダであり、フォーカシングスクリーン１０７と、プリズム１０８と、接眼レンズ１０９とにより構成される。フォーカシングスクリーン１０７には、主ミラーユニット１０６上の主ミラー部材１１により上部に反射した光束が結像する。プリズム１０８は、フォーカシングスクリーン１０７に結像した像を正立実像にするために内部で像を反射させる。接眼レンズ１０９は、プリズム１０８から射出された像を適正な倍率で使用者が確認できるようにする。
【０００５】
１０４は交換レンズ１０２を装着するためのマウント部である。１０６は主ミラーユニットであり、ミラーボックス１０５と呼ばれる空間内で交換レンズ１０２と撮像部１０１の光軸上に配置されている。
【０００６】
１１０はサブミラーユニットであり、交換レンズ１０２から入射した光束のうち主ミラーユニット１０６を透過した光束をサブミラー部材２１にて反射してＡＦユニット１１１に導く。１１１はＡＦ（オートフォーカス）ユニットであり、被写体との距離を測定する。
１１２は複数のシャッタ羽根からなるフォーカルプレーンシャッタであり、入射した光束を所望時間だけ撮像部１０１に照射させる。
【０００７】
撮像待機状態では、図８（ａ）に示すように、光軸上に設置された主ミラーユニット１０６により光束の一部が上部に垂直に反射し、使用者はファインダ１０３を介して被写体像を確認することができる。これにより、使用者はファインダ１０３により交換レンズ１０２から入射した被写体像の構図を決定することができる。また、主ミラーユニットを透過した残りの光束がサブミラーユニット１０６により反射してＡＦユニット１１１に導かれる。
【０００８】
撮像状態では、図８（ｂ）に示すように、交換レンズ１０２から入射した光束を撮像部１０１に入射させるために主ミラーユニット１０６及びサブミラーユニット１１０を跳ね上げて光軸上から退避させる。その状態で、フォーカルプレーンシャッタ１１２のシャッタ羽根を開くことにより光束が撮像部１０１に入射する（以下、撮影待機状態をミラーダウン状態、撮影状態をミラーアップ状態、撮影待機状態から撮影状態へ遷移することをミラーアップ、撮影状態から撮影待機状態へ遷移することをミラーダウン、と呼称する）。
【０００９】
ところで、フィルムカメラでは、フィルムに塵埃等の異物が付着しても、フィルムを巻き上げれば次のコマに影響を与えることがない。しかしながら、Ｄ−ＳＬＲ１００では、フィルムカメラと異なり撮像部１０１で撮像するために、撮像部１０１に異物が付着すると、その付着した異物がある箇所は、撮像部１０１に光が届かないために撮影画像に影として写り込み続けてしまう。
【００１０】
異物が発生する原因として、以下のことが考えられる。第１に、レンズ交換式のカメラでは、交換レンズ１０２非装着時にマウント部１０４を保護する不図示のマウントキャップを装着する。そのときに、マウントキャップとマウント部１０４の擦れによりマウントキャップが削れ、その削れ片が異物として侵入してしまう。
【００１１】
第２に、交換レンズ１０２の交換時に、マウント部１０４を介してカメラ内部が外界にさらされ、カメラ内部へ異物が侵入してしまう。
【００１２】
第３に、フォーカルプレーンシャッタ１１２を備えたカメラでは、シャッタ羽根がシャッタ動作時に擦れることによってシャッタ羽根の塗装が剥がれ、異物としてカメラ内部に残留してしまう。
【００１３】
第４に、カメラ１００がミラーアップ、またはミラーダウンする際、サブミラーユニット１１０は主ミラーユニット１０６に対してある角度を回転する。そのために、両者を回転可能なように保持している連結部が摺動し、その削れ片が異物としてカメラ内部に残留してしまう。
【００１４】
特に、サブミラーユニット１１０と、主ミラーユニット１０６の連結部に、摩擦を低減する目的でグリスが塗布されている場合、第４の理由で発生する異物にはグリスが付着していることがある。撮像部１０１には付着した異物を振動で振るい落とす機能が付加されていることがあるが、グリスのような油分を含んだ異物は振動で振るい落とすことが容易でなく、そのような異物の発生を抑えることや、撮像部１０１への付着を防ぐことが必要になっている。
【００１５】
ところで、撮像部１０１に向かう異物を捕獲する技術として、主ミラーユニット１０６の主ミラー部材１１の外周かつ、主ミラー部材１１の反射面よりも高い位置に、粘着性を有した塀部材を配した技術が知られている（特許文献１）。これは主ミラーユニット１０６がミラーアップする際に、空気が主ミラー部材１１の反射面に沿って、反射面中心から端に流れることを利用し、異物を反射面の周囲にて捕獲しようとするものである。
【００１６】
また、サブミラーユニット１１０の、主ミラーユニット１０６とは逆側の面に、粘着部材を配置し、サブミラーユニット１１０がミラーダウンすることで、ミラーボックス１０５内の異物を捕獲する技術も知られている（特許文献２）。
【先行技術文献】
【特許文献】
【００１７】
【特許文献１】特許第４９７６７００号公報
【特許文献２】特許第５３１８２３７号公報
【発明の概要】
【発明が解決しようとする課題】
【００１８】
特許文献１にあるように、主ミラー部材１１の反射面周囲に粘着性を有した塀部材を配する場合、工場やアフターサービスの現場で溶剤を使用して主ミラー部材１１の反射面の拭き作業を行うと、溶剤がかかってしまい粘着性を劣化させてしまう恐れがあった。また、ミラーダウン状態でユーザーに触られてしまう恐れがあり、手の油脂によってその粘着性が劣化する恐れがあった。
【００１９】
特許文献２にあるように、サブミラーユニット１１０の主ミラーユニット１０６とは逆側の面に粘着部材を配する場合においても、ミラーアップ状態でユーザーに触られてしまう恐れがあり手の油脂などによってその粘着性が劣化する恐れがあった。また、粘着性部材は光沢性を有することがあるために、ミラーアップ状態で撮影をすると交換レンズ１０２を通過してきた撮影光が粘着面で反射してしまい、撮影画像に不要な光が映りこんでしまう可能性がある。
【００２０】
本発明は、上記問題点に鑑みてなされたものであり、カメラ内部に侵入、またはカメラ内部で発生し残留した異物が、撮像部に付着するのを抑えた撮像装置を提供することを目的とする。
【課題を解決するための手段】
【００２１】
上記目的を達成するために、本発明は、
撮像レンズからの光束により形成された被写体像を光電変換する撮像素子と、
前記被写体像を観察するための光学ファインダと、
少なくとも一部の領域で光束を透過するハーフミラーを有する主ミラーユニットと、
全反射のミラーを有するサブミラーユニットと、
前記撮像レンズの結像状態を検出するためのＡＦユニットとを備え、
前記撮像レンズからの光束の一部を前記主ミラーユニットにて前記光学ファインダに反射し、透過した残りの光束を前記サブミラーユニットにて反射して前記ＡＦユニットに導く第１の状態と、
前記主ミラーユニット及び前記サブミラーユニットで反射及び透過させることなく、前記撮像レンズからの光束の全てを前記撮像素子に導く第２の状態とに切り替え動作可能とした撮像装置であって、
前記第１の状態で露出し、
前記第２の状態で前記主ミラーユニットと前記サブミラーユニットによって覆われる、
前記主ミラーユニットおよび前記サブミラーユニットの少なくともどちらか一方の一部に、異物を捕獲する異物捕獲部が設けられていることを特徴とする。
【発明の効果】
【００２２】
本発明によれば、カメラ内部に侵入、またはカメラ内部で発生し残留した異物が、撮像部に付着するのを抑えた撮像装置を提供することができる。
【図面の簡単な説明】
【００２３】
【図１】第１の実施形態に係る撮像装置の概略構成を示す図である。
【図２】第１の実施形態に係るサブミラーユニットを反射面側から見た正面図である。
【図３】第１の実施形態に係るサブミラーユニットをＡＦユニット側から見た斜視図である。
【図４】第１の実施形態に係る主ミラーユニットおよびサブミラーユニットの断面図である。
【図５】第２の実施形態に係る主ミラーユニットを反射面裏側より見た背面図である。
【図６】第２の実施形態に係る主ミラーユニットをＡＦユニット側から見た斜視図である。
【図７】第２の実施形態に係る主ミラーユニットおよびサブミラーユニットの断面図である。
【図８】レンズ交換式デジタル一眼レフカメラの基本的な概略構成を示す図である。
【発明を実施するための形態】
【００２４】
以下に、本発明の好ましい実施の形態を、添付の図面に基づいて詳細に説明する。
【実施例１】
【００２５】
図１には、第１の実施形態に係る撮像装置であるレンズ交換式デジタル一眼レフカメラＤ−ＳＬＲの概略構成を示す。なお、主ミラーユニット１およびサブミラーユニット２以外の構成要素は図８と同様であるので、同一の符号を付すとともに、その詳細な説明は省略する。
【００２６】
図２はサブミラーユニット２単体を主ミラーユニット１側から見た正面図である。２１は全反射ミラーであるサブミラー部材、２２はサブミラー部材２１を保持するサブミラー保持部材２２である。２３はサブミラー部材２１の反射面と同じ側のサブミラー保持部材２２の面上に設けられた粘着部材の両面テープである。サブミラー保持部材２２上にサブミラー部材２１が配され、その左右側部に粘着部材２３がサブミラー部材２１から所定のクリアランスを持って配置されている。粘着部材２３はサブミラー保持部材２２の外形を超えない大きさに設定されている。
【００２７】
図３（ａ）には、ミラーダウン状態での主ミラーユニット１およびサブミラーユニット２をＡＦユニット１１１側から見た斜視図を示す。１１はハーフミラーである主ミラー部材、１２は主ミラー部材１１を保持する主ミラー保持部材、１４はサブミラーユニット２が主ミラーユニット１へ衝突する際の衝撃を和らげるための衝撃吸収部材である。１５は主ミラーユニット１の主ミラー部材１１とは反対側の面で、ミラーアップ状態においてサブミラーユニット２によって覆い隠されない領域に配された反射防止部材である。２４ａ、２４ｂはサブミラーユニット２が主ミラーユニット１に対して回転可能なように連結されている連結部である。
【００２８】
図３（ｂ）には、ミラーアップ状態での主ミラーユニット１およびサブミラーユニット２をＡＦユニット１１１側から見た斜視図を示す。このように、ミラーアップ状態ではサブミラーユニット２が主ミラーユニット１に対して閉じるため、粘着部材２３の粘着面は覆い隠され、ミラーボックス１０５内に粘着部材２３が露出しない。そのため、ユーザーが粘着部材２３に不用意に触ってしまい、粘着性を劣化させてしまうことがない。また、同じくミラーアップ状態でミラーボックス１０５内に粘着部材２３が露出しないため、粘着面が撮影時に不必要な反射を起こすことがなく、撮影画像に影響を及ぼすことがない。なお、粘着部材２３としては、サブミラー保持部材２２に両面テープを貼り付けるようにしたものだけでなく、例えば粘着剤を塗布するような形態であってもよい。
【００２９】
図４（ａ）はミラーアップ／ミラーダウン動作中の主ミラーユニット１およびサブミラーユニット２を、マウント側を左としてみた断面図であり、図４（ｂ）はミラーアップ状態での断面図である。図４（ｂ）に示すようにミラーアップ状態では、衝撃吸収部材１４にサブミラー保持部材２２が一番先に当接し、粘着部材２３と主ミラー保持部材１２との間にクリアランスが存在する。そのため、粘着部材２３が主ミラー保持部材１２に貼りついてしまうことがない。
【００３０】
図４に示すように、ミラーアップおよびミラーダウンする過程において、主ミラーユニット１とサブミラーユニット２の間の空間の容積が変化するため、それぞれ矢印３ａ、３ｂの方向に出入りする空気の流れが発生する。ミラーボックス１０５内を浮遊している異物は矢印３ａ、３ｂの方向の気流に乗ってその空間に出入りし、その過程で粘着部材２３に衝突し捕獲される。これにより、異物がミラーボックス１０５に付着することを抑えられるため、撮像部１０１に異物が付着するのを抑えることができる。
【００３１】
また、連結部２４ａ、２４ｂからはサブミラーユニット２と主ミラーユニット１との摺動摩擦によって削れ片が発生するが、粘着部２３は連結部２４ａ、２４ｂ近傍に配されているため、異物を効率的に捕獲するのに有効である。
【実施例２】
【００３２】
説明が煩雑になるのを避けるため、本発明第２の実施形態の説明においては本発明第１の実施形態と異なる所だけ新規に符号を付し説明するが、その他は同一の符号を付すとともに、その詳細な説明を省略する。
【００３３】
図５は第２の実施形態における主ミラーユニット１単体をサブミラーユニット２側から見た背面図である。図６（ａ）には、本発明第２の実施形態の、ミラーダウン状態での主ミラーユニット１およびサブミラーユニット２をＡＦユニット１１１側から見た斜視図を示す。１３は主ミラー部材１１の反射面側とは逆側の主ミラー保持部材１２の面に設けられた粘着部材の両面テープである。
【００３４】
図６（ｂ）には、ミラーアップ状態での主ミラーユニット１およびサブミラーユニット２をＡＦユニット１１１側から見た斜視図を示す。このように、ミラーアップ状態ではサブミラーユニット２によって粘着部材１３が覆い隠され、ミラーボックス１０５内に粘着部材１３が露出しないため、ユーザーが不用意に触ってしまい、粘着性を劣化させてしまうことがない。また、同じくミラーアップ状態でミラーボックス１０５内に粘着部材１３が露出しないため、粘着面が撮影時に不必要な反射を起こすことがなく、撮影画像に影響を及ぼすことがない。
【００３５】
また、すでに説明したように、ミラーダウン状態において、交換レンズ１０２から入射した撮影光束の一部が、ハーフミラーである主ミラー部材１１を通過して、サブミラー部材２１で全反射されＡＦユニット１１１へ向かう。このとき、主ミラー部材１１を通過した後の光が拡散し、サブミラー部材２１の反射面内に収まらず、サブミラー保持部材２２の面上で反射し、ＡＦユニット１１１へ向かってしまうことが考えられる。本発明第１の実施形態のように光沢性のある粘着部材２３をサブミラー保持部材２２側に貼ると、測距性能に影響を及ぼすことを懸念しなければならない。そのため粘着部材２３をサブミラー部材２１からなるべく遠ざけて配置せざるをえず、その異物捕獲性能に関わる粘着面積を広くとりづらい。
【００３６】
一方で本実施形態のように、粘着部材１３を主ミラー保持部材１２側に貼ることにより、粘着部材１３の粘着面に入射してくる光線は、主ミラー部材１１を通過し、すでにサブミラー保持部材２２によって一回反射した光であるため、その強度が弱い。そのため、仮に粘着部材１３の粘着面で再度反射してＡＦユニット１１１に向かったとしても、その影響度は小さい。また、その粘着面もミラーアップ時にサブミラーユニット２によって覆い隠される領域の中で広く設定できるため、異物捕獲性能を高めることができる。なお、粘着部材１３としては、主ミラー保持部材１２に両面テープを貼り付けるようにしたものだけでなく、例えば粘着剤を塗布するような形態であってもよい。
【００３７】
図７（ａ）はミラーアップ／ミラーダウン中の主ミラーユニット１およびサブミラーユニット２をマウント側を左としてみた断面図であり、図７（ｂ）はミラーアップ状態での断面図である。図７（ｂ）に示すようにミラーアップ状態では、衝撃吸収部材１４にサブミラー保持部材２２が一番先に当接し、粘着部材１３とサブミラー保持部材２２との間にクリアランスが存在する。そのため、粘着部材１３がサブミラー保持部材２２に貼りついてしまうことがない。
【００３８】
また、本実施形態において、粘着部材１３と反射防止部材１５を別体としたが、反射防止部材１５の一部に粘着性を持たせて一体化すれば、部品点数を削減することができる。
【００３９】
また、第１、第２の実施形態において、粘着部材１３、２３の代わりに帯電部材を用いれば、帯電部材が持つ静電気力によって帯電部材に衝突した異物を捕獲し続けることができる。帯電部材としては、例えば集塵機のフィルタに用いられるようなエレクトレット繊維を編んだ物等が考えられる。
【００４０】
また、第４の理由で記したように、主ミラーユニット１とサブミラーユニット２の連結部２４ａ、２４ｂから摺動摩擦によって異物が発生する。異物が発生してからミラーボックス内に飛散してしまう前に捕獲することが可能であるため、粘着部材１３、２３は連結部２４ａ、２４ｂ近傍に配すると、より効果的である。
【００４１】
以上に説明したように、カメラ内部に侵入、またはカメラ内部で発生し残留した異物が、撮像部に付着するのを抑えた撮像装置を提供することができる。
【００４２】
また本発明はこれらの実施形態に限定されず、その要旨の範囲内で種々の変形及び変更が可能である。
【符号の説明】
【００４３】
１  主ミラーユニット、２  サブミラーユニット、１１  主ミラー部材、
１２  主ミラー保持部材、１３，２３  粘着部材、２１  サブミラー部材、
２２  サブミラー保持部材、１０１  撮像部、１０５  ミラーボックス、
１１１  ＡＦユニット、１１２  フォーカルプレーンシャッタ
【図１】
2016053664.tif 000003
【図２】
2016053664.tif 000004
【図３】
2016053664.tif 000005
【図４】
2016053664.tif 000006
【図５】
2016053664.tif 000007
【図６】
2016053664.tif 000008
【図７】
2016053664.tif 000009
【図８】
2016053664.tif 000010